(57)【要約】【課題】体で感じるほどの迫力音と、周囲に騒音の迷惑かけない事との両立で尚かつ、可搬性や利便性の有るものを提供する。【解決手段】低音を背骨に響かせて、低音以外は聞こえないように設定できることで、小型でありながらも効率よく迫力を感じるようにして、成型品で筐体をつくり取付部を備えることで可搬性や利便性も得る。【選択図】図１
2017118471.tif 000002
【特許請求の範囲】
【請求項１】
筐体が成型品でつくられていて取付部を備え、低音は体骨へ振動させる構造を備えて、低音以外は聞こえないように設定できる構造や機能を使うことを特徴とするスピーカー。
【請求項２】
特定の人向けに前記振動をコントロールして伝える機能を使うことを特徴とする請求項１記載のスピーカー。
【請求項３】
椅子へ装着することができる取付部を備えていて、前記椅子の外部からコントロールする機能を使うことを特徴とする請求項１記載のスピーカー。
【発明の詳細な説明】
【技術分野】
【０００１】  本発明は、振動を体骨へ伝達するスピーカーに関する。
【背景技術】
【０００２】  本発明の技術背景としては、スマートフォンの発達により無線通信による音のコントロールが容易になったこと、電源の小型化技術発展や、スピーカーやアンプの小型化技術発展が挙げられる。従来の類似技術としては、例えば、耳が聞こえにくい人向けに音を頭蓋骨へ響かせる骨伝導マイクロフォンや、クッション材を使用し背中や臀部へ広く大きな振動を伝えるボディソニックが知られている。
【発明の概要】
【発明が解決しようとする課題】
【０００３】  従来の技術である骨伝導マイクロフォンにおいては、大きい音を聞いても振動を体で感じるほどの迫力はないことがある。一方、ボディソニックにおいては、背中や臀部へ広く大きな振動を伝えることができるが、大きい形状のものは持ち運びができない、又、小さい形状のものを持ち運んで音を聞いたとしても、周囲に音が漏れ迷惑になることがある。それら両方と利便性を提供する事が発明によって同時に解決しようとする課題である。
【課題を解決するための手段】
【０００４】  上記課題を解決するために、本発明の実施形態は、耳に装着する必要のないことで、体骨へ響かせるような装着、又は物体への装着をするため、周囲の音を遮断しない。又、主に体骨へ、低音のみの振動を成型品による防音調整構造やローパス機能により伝えることで、小型でありながらも低音の迫力を感じることができる。尚かつ、成型品の筐体によって取付部を設けることで、可搬性や利便性を得ることができる。
【発明の効果】
【０００５】  本発明に係るスピーカーによれば、周囲に音が漏れることなく低音振動のリズム感や心地よさを楽しんだり、緊張感を和らげるためのツールとして使用することができる。
又、メトロノームのような一定の振動を複数人に送ることで、同時演奏やダンスをしたり、他人に対して音を送りスピーチ等のテンポ管理のために使用することもできる。更に、体骨へ振動を伝えることによる危険運転防止、居眠り防止のために使用したり、送信者から複数の受信者へ使用することで、説明会場や静かな場所で特定の知らせたい人だけに送る呼び出し合図としても使用できる。
【図面の簡単な説明】
【０００６】
【図１】本発明の一実施形態を指すものである。
【図２】本発明のスピーカーの断面図を指すものである。
【発明を実施するための形態】
【０００７】  図１乃至図２を用いて、本発明の実施形態に係る構成を説明する。ここで、図１は、本発明の構成ブロック図一例を説明する説明図である。図２は、本発明に係るスピーカー断面図一例を説明する説明図である。
【０００８】  図１に示すように、００１をスピーカーとし０２に背骨付近へ装着するためのクリップ等、用途に応じた取り付け部を備える。００３のアンプ部に００４の操作部がついていて音をコントロールすることができる。００５に無線受信機としてｂｌｕｅｔｏｏｔｈ等を使用し、００７を音送信機としてスマートフォン等により音や指示を送る物である。００６はモバイルバッテリー等の電源とし、主に持ち運びのしやすいサイズのものを使用する。
【０００９】  図２に示すように、本発明に係るスピーカーとしては、００８を筐体とし、主にプラスチック等の成型品でつくられる。００９を防音調節部として、音の響くものか響かない防音にするかを、調整できる構造にする事が好ましい。筐体を成型品にすることにより、小型で響かない構造や取付部をつくることができる。又、プラスチックによって軽く可搬性あるものに仕上げることができる。０１０をコイル、０１１を磁石、０１２をヨーク、０１３をばねをとして基本構成されるスピーカーである。０１４の振動板をつけることによって音が大きくなるものであるが、本発明の主な趣旨はその変わりに体骨へ音が響くようにつけるので不要である。一応、付け替えができてどちらにも使える応用として記載した。目的によって、スピーカーやアンプ、又は音送信機で、目的の周波数帯のみがよく響くように設計や設定をする事が好ましい。
【００１０】  スピーカーで低音のみ振動させるためには、高い周波数振動はしないようにバネを強くし、重さを調節して音量とのバランスをとる設計をする。その低音は振動を背骨で感じて、他人の耳には聞こえない程度に調整した設計をする。その低音以外を鳴らさないようにするには、防音調整部を備えるか、又はローパス機能をアンプ内が音送信機に備えて、設定をする。それらによって周囲に騒音の迷惑を防止することができる。
【００１１】  スピーカーは、小型にして、持ち運びしやすいように取付部や引っ掛け部を設けて、クリップなどで服やベルトやストラップや楽器などに付けて、背骨又は体骨へ直接又は間接的に、低音がよく響くように装着する。取付部は、両面テープ又は吸盤やジェル状シートのようなものであっても、目的の周波数帯が伝えられる物で付けられるものなら何でもよい。目的や好みによって選択できる構造であることが好ましい。
【００１２】  以上のとおり、本発明に係る低音体骨振動スピーカーを使用すれば、音のコントロールによって、音楽だけでなく低音振動のリズム感や心地よさを楽しんだり、緊張感を出したり和らげたりするためのツールとして使用することができる。又、メトロノームのような一定の振動によって、スピーチ等のテンポ管理に使用することができて、さらに複数人に送信することで、同時演奏やダンス等に利用することができる。
【００１３】  迫力ある音を感じるには、背骨に直接響かせるのがもっとも効率的である。迫力ある音が不慣れな方は不快に感じる場合もあるが、マッサージ同様に強弱をコントロールしたり、好きな音楽や好きな人の声の響きなどで、心地良さが身につくものである為、スマートフォン等で簡単にコントロールする事が便利であり重要である。
【００１４】  又、背骨に直接ではなくても、間接的に背骨へ響かせて振動を伝え易いものとして木やプラスチックでつくられた椅子が利用できる。本発明品は前記のように椅子へも手軽に付け替える事ができて、設置や改造をする必要がなくて便利である。もちろん振動しやすい物なら何につけてもよい。用途例としては、危険運転防止、居眠り防止のために使用したり、送信者から複数の受信者へ使用することで、説明会場や静かな場所で特定の知らせたい人だけに送る呼び出し合図としても使用できる。
【００１５】  又、本発明に係る低音体骨振動スピーカーを利用すれば、持ち運びのしやすい形状である特徴により、ウェアラブル機器やＩｏＴとしての使用やバーチャル体感等を手軽に楽しむことにも適している。又、人以外にも人型ロボットの筐体を響かせて音を出したり、触ると振動を伝えたりするものにも適している。
【００１６】
【図１】
2017118471.tif 000003
【図２】
2017118471.tif 000004